(57)【要約】【課題】風呂場等の排水口に流れ込む排水に含まれる髪の毛などのゴミを、手間をかけないで衛生的に取り替えることができるゴミこし部材を提供する。【解決手段】排水に含まれる髪の毛等のゴミをこす袋状になったゴミこしアミ１２の開口部に枠１１を設けたゴミこし部材１０を、ゴミこし部材取り付け用排水口のふた１の裏側に取り付けられたガイド５の溝に抜き差しすることで、容易に取り付け、取り外しを可能にし、髪の毛等のゴミが溜まったゴミこし部材１０を、手間をかけないで交換できるとともに、ゴミこし部材１０に取っ手１３を設けることで、髪の毛等のゴミが付着したゴミこしアミ１２に直接触れることなく衛生的に交換できる。また、ゴミこし部材１０に記入欄１４を設け、交換日を記入することにより、定期的な交換を明確にできる。【選択図】図４
2005320839.tif 000002
【特許請求の範囲】
【請求項１】
ゴミこし部材を排水口のふたの裏側に容易に取り付け取り外しする方法として、抜き差しという単純な動作で行うことができるように排水口のふたの裏側に溝を切った部材を取り付けた排水口のふた。
【請求項２】
ゴミこし部材交換時に、髪の毛等のゴミが付着した不衛生なゴミこしアミに直接触れることなく交換ができるゴミこし部材。
【請求項３】
ゴミこし部材に使用開始または、交換時期が記入できる記入欄を設けることにより交換時期を明確にするゴミこし部材
【発明の詳細な説明】
【技術分野】
【０００１】本発明は、風呂場等の排水口に流れ込む排水に含まれる髪の毛やゴミを取り除く排水口のゴミ取り部材に関するものである。
【背景技術】
【０００２】風呂場の排水口には、髪の毛やゴミが流れ込まないように、ヘアキャッチと呼ばれる網目状の器具が取り付けられている。
【発明の開示】
【発明が解決しようとする課題】
【０００３】風呂場の排水口に流れ込む排水が、排水口に取り付けられた網目状のヘアキャッチと呼ばれる器具にて、ゴミがこされて集められる。このゴミは髪の毛が主であり、髪の毛が網目状の部分に絡まるため、これを取り除くのに手間がかかる。また、取り除く作業は、不衛生で気持ちの良い作業ではない。
【課題を解決するための手段】
【０００４】本発明は、このような課題を達成するために、髪の毛等のゴミが付着したゴミこしアミに直接触れることなく交換可能で、交換時期がわかることを特徴としたゴミこし部材を用いる。また、排水口のふたの裏側にゴミこし部材を取り付けるための手段を有する排水口のふたを用いる。
【発明の効果】
【０００５】第一の効果は、髪の毛等のゴミの除去が容易であるということである。
その理由は、交換可能なゴミこし部材を使用することで、ゴミが溜まった場合は、ゴミこし部材ごと交換で済むためである。
第二の効果は、ゴミこし部材の交換が容易にできることである。
その理由は、排水口のふたとゴミこし部材の取り付けは簡単な構造となっておりゴミこし部材の抜き差しで、取り付け取り外しが可能なためである。
第三の効果は、ゴミこし部材を衛生的に交換できることである。
その理由は、ゴミこし部材交換時に髪の毛等のゴミが付着したゴミこしアミに直接触れることなく交換できる様に、袋状になったゴミこしアミの開口部に枠を設け、さらに枠に取っ手を取り付け、これを利用して交換するためである。
第四の効果は、ゴミこし部材の交換予定日を明確にすることができる。
その理由は、ゴミこし部材に記入欄を設けて、交換日を記入できるためである。
【実施例】
【０００６】以下に、本発明の実施例を図面を参照しつつ詳しく説明する。
図１は、本発明のゴミこし部材取り付け用排水口のふたにゴミこし部材を取り付けた時の平面図である。
図２は、本発明のゴミこし部材取り付け用排水口のふたにゴミこし部材を取り付けた時の側面図である。
図３は、本発明のゴミこし部材の斜視図である。
図４は、風呂場等の排水口に本発明品を取り付けた時の断面図である。【０００７】ゴミこし部材取り付け用排水口のふた１（以下、「ふた」とのみ記す）は、排水が流れるための排水用穴２と、ふた１を排水口９１へ取り付け、取り外しをする時にふた１を持つための取っ手３と、ふた１と排水口９１の隙間を塞ぐ伸縮可能なパッキン４を備える。さらに、ふた１の裏側には、ゴミこし部材１０を取り付けるために溝を切ったガイド５がコの字を描くように取り付けられている。また、ガイド５が取り付かない部分から排水が漏れないようにするための漏れ防止部材６を備える。【０００８】ゴミこし部材１０は、袋状になった網目状のゴミこしアミ１２とゴミこしアミ１２の開口部周辺に、ふた１の裏側に取り付けられたガイド５の溝にはめ込み、ふた１とゴミこし部材１０を接続するための枠１１を備える。枠１１には、ゴミこし部材の取っ手１３が取り付けられ、ゴミこし部材の取っ手１３には使用開始日、又は交換予定日等を記入することができる記入欄１４が設けられている。【０００９】ふた１の材料は、記入欄１４を見るためにガラス、プラスチック等の透明な材料であれば、特に限定しない。また金属等の透明でない材料の場合は、記入欄１４を見るための窓を設けることで、特に限定しない。透明度と加工が容易なことからアクリルが適している。パッキン４の材料は、伸縮可能なゴムやスポンジ等が適している。ガイド５と漏れ防止部材６の材料は、耐水性があれば特に限定しない。加工が容易なことからプラスチックが適している。本発明の実施例の形状は、ふた１は円形、排水用穴２は角形であるが、特に限定しない。【００１０】ゴミこし部材１０の材料は、ゴミこしアミ１２については、排水中に含まれた髪の毛等のゴミをこしとるために網目状になっており焼却可能であれば特に限定しない。水切れが良い事からポリエチレンが適している。枠１１と、ゴミこし部材の取っ手１３は、耐水性があり、焼却可能であれば特に限定しない。例えば、牛乳パック等の耐水紙を使用する。本発明の実施例の形状は、枠１１とゴミこしアミ１２は角形であるが、ガイド５に取り付け可能な形状であれば、特に限定しない。【００１１】次に、本発明の使用方法について説明する。
まず、ゴミこし部材１０の記入欄１４にゴミこし部材の使用開始の日付又は、次回交換する日付を記入する。これにより、次回の交換日を明確にし、定期的な交換を意識する事ができる。【００１２】ゴミこし部材１０の枠１１を、ふた１の裏側に取り付けられたガイド５の溝に挿入することで、ゴミこし部材１０をふた１に取り付けることができる。【００１３】ゴミこし部材１０をふた１に取り付けた後、ふた１の取っ手３をつまむようにして持ち、風呂場等の床に設けられた排水溝９０の排水口９１に取り付ける。ふた１は、従来、排水口９１に取り付けられていたヘアキャッチ取り付け部品９２を支えに、排水口９１に取り付けられる。【００１４】次に、本発明の働きについて説明する。
洗髪等をした排水は、風呂場等の床より低い位置に設けられた排水溝９０の排水口９１に向かって流れる。ふた１のパッキン４により、排水口９１とふた１の間には隙間がないため、排水は全て排水用穴２に流れ込む。【００１５】排水用穴２に流れ込んだ排水は、ガイド５と漏れ防止部材６により、もれなく袋状のゴミこしアミ１２に流れ落ちる。排水がゴミこしアミ１２を通過する際に、髪の毛等のゴミがこされて袋状のゴミこしアミの内側に残る。【００１６】記入欄１４に記入した内容により交換時期と判断した場合や、髪の毛等のゴミが溜まり、排水の流れが悪くなった時は、ゴミこし部材１０を交換する。【００１７】交換の方法は、排水口９１からふた１を取り外すため、ふた１の取っ手３をつまむように持ち上げる。ふた１からゴミこし部材１０を取り外すため、排水がかかっていないゴミこし部材の取っ手１３を持ち、ガイド５の溝から枠１１を引き抜いて、そのままゴミこし部材１０を廃棄する。【００１８】交換用の新しいゴミこし部材１０を準備して、使用方法の手順で準備することにより再び使用可能となる。
【図面の簡単な説明】
【００１９】
【図１】ゴミこし部材取り付け用ふたにゴミこし部材を取り付けた平面図である。
【図２】ゴミこし部材取り付け用ふたにゴミこし部材を取り付けた側面図である。
【図３】ゴミこし部材の斜視図である。
【図４】風呂場等の排水口に本発明品を取り付けた時の断面図である。
【符号の説明】
【００２０】    １    ゴミこし部材取り付け用排水口のふた
２    排水用穴
３    ゴミこし部材取り付け用排水口のふたの取っ手
４    パッキン
５    ガイド
６    漏れ防止部材
１０  ゴミこし部材
１１  枠
１２  ゴミこしアミ
１３  ゴミこし部材の取っ手
１４  記入欄
９０  排水溝
９１  排水口
９２  ヘアキャッチ取り付け部品
【図１】
2005320839.tif 000003
【図２】
2005320839.tif 000004
【図３】
2005320839.tif 000005
【図４】
2005320839.tif 000006